(57)【特許請求の範囲】
【請求項１】
ノート型筐体の表面に設けられた表示手段と、
前記表示手段に表示されたベース画像上の任意の位置に手書き画像である入力オブジェクトを書き込むペン型の入力手段と、
前記入力手段により書き込まれた入力オブジェクトの中から文字コードを認識する認識手段と、
複数ページ分のベース画像を記憶する第１の記憶手段と、
前記入力手段により書き込まれた入力オブジェクトをページ毎に記憶する第２の記憶手段と、
前記認識手段が認識した文字コードをページ毎に記憶する第３の記憶手段と、
入力オブジェクトの特徴を検索キーとして前記第１及び第２の記憶手段を検索する第１の検索手段と、
文字コードを検索キーとして前記第１及び第３の記憶手段を検索する第２の検索手段と、を備え、
前記表示手段は、前記第１の検索手段で検索された入力オブジェクトが含まれるページ、又は前記第２の検索手段で検索された文字コードが含まれるページを表示する電子ノート。
【請求項２】
前記入力手段は、色指定手段を含み、前記表示手段上の任意の位置に該色指定手段で指定された色の入力オブジェクト書き込む手段である請求項１に記載の電子ノート。
【請求項３】
前記第１の検索手段は、入力オブジェクトである図形の形状や色を検索キーとする請求項１又は請求項２に記載の電子ノート。
【発明の詳細な説明】
【０００１】
【発明の属する技術分野】
この発明は、従来紙製の文具であったノートを電子化した電子ノートに関する。
【０００２】
【従来の技術】
会議や講義の内容を記録する文具としては従来より紙製のノートが一般的であったが、紙製のノートに記録された情報は再利用性や加工性に乏しいという問題点があった。また、会議や講義において事前に資料やレジメを配付し、これに基づいて会議や講義を進めていく場合があるが、この場合においても資料・レジメの内容やこれに対する書き込みといった情報を再利用したり加工したりすることは困難であった。
【０００３】
そこで、情報を電子化して高い再利用性や加工性を持たせたワードプロセッサや携帯型パソコンなどの可搬型・携帯型電子文具が実用化されていた。
【０００４】
【発明が解決しようとする課題】
しかし、ワードプロセッサの場合には、予め割りつけられた行や桁の位置に文字や記号を入力できるのみであったため、ノートにペンで書き込む場合のように任意の場所に自由な書き込みをすることができず、事前に配付された資料やレジメの上に書き込みをするといことが困難であった。また、仮に書き込みができる場合でも、共に同じテキストデータであるため、元々の資料・レジメと書き込みとの区別が困難であるという問題点があった。このことは、携帯型パソコンでワードプロセッサプログラムを起動した場合も同様であった。
【０００５】
この発明は、紙製のノートと同様に自由な書き込みができ、書き込まれた情報を電子化することができる電子ノートを提供することを目的とする。
【０００６】
【課題を解決するための手段】
請求項１の発明は、ノート型筐体の表面に設けられた表示手段と、前記表示手段に表示されたベース画像上の任意の位置に手書き画像である入力オブジェクトを書き込むペン型の入力手段と、前記入力手段により書き込まれた入力オブジェクトの中から文字コードを認識する認識手段と、複数ページ分のベース画像を記憶する第１の記憶手段と、前記入力手段により書き込まれた入力オブジェクトをページ毎に記憶する第２の記憶手段と、前記認識手段が認識した文字コードをページ毎に記憶する第３の記憶手段と、入力オブジェクトの特徴を検索キーとして前記第１及び第２の記憶手段を検索する第１の検索手段と、文字コードを検索キーとして前記第１及び第３の記憶手段を検索する第２の検索手段と、を備え、前記表示手段は、前記第１の検索手段で検索された入力オブジェクトが含まれるページ、又は前記第２の検索手段で検索された文字コードが含まれるページを表示することを特徴とする。
【０００７】
請求項２の発明は、請求項１の発明において、前記入力手段は、色指定手段を含み、前記表示手段上の任意の位置に該色指定手段で指定された色の入力オブジェクト書き込む手段である。
【０００８】
請求項３の発明は、請求項１，２の発明において、前記第１の検索手段は、入力オブジェクトである図形の形状や色を検索キーとすることを特徴とする。
【００１０】
この発明において、ベース画像は、たとえば事前に整理された会議資料や講義のレジメなどの画像である。画像の記憶形式は、プリントイメージでもよいが、ＰＤＦ（Ｐｏｒｔａｂｌｅ  Ｄｏｃｕｍｅｎｔ  Ｆｏｒｍａｔ）などが適当である。表示手段はこのベース画像を表示する。電子ノートの利用者は、このベース画像の上に手書きで書き込みをする。
【００１１】
制御手段は、この書き込まれた手書き画像である入力オブジェクトの形状や色を検索する。さらに、この入力オブジェクトから文字が抽出され認識される。これにより、手書きの内容を再利用・加工することが容易になる。そして、手書き入力された入力オブジェクトが、その書き込み位置（任意の位置）に表示される。この形状の相違により、ベース画像と入力オブジェクトとを視覚的に区別することが容易であり、また、記憶手段もベース画像と入力オブジェクトを別々のエリアに記憶しているため、情報として区別することも容易である。また、ペン型の入力手段で任意の位置への書き込みが可能であるため、従来のノートに近い使用感で情報を記録することができる。
【００１２】
また、入力オブジェクトを電子情報化したことにより、これを認識して文字コード化し、所望の文字を検索するなど従来のノートでは不可能であった情報利用が可能になった。
【００１３】
【発明の実施の形態】
図面を参照してこの発明の実施形態である電子ノートについて説明する。図１は同電子ノートの外観図およびスイッチ群の構成図、図２は同電子ノートのブロック図である。この電子ノートは雑誌程度の大きさの電子機器であり、従来のノート代わりに会社や学校で使用されることを想定したものである。
【００１４】
図１（Ａ）において、電子ノート１の上面にはＡ４サイズ（縦２９６ｍｍ×横２１０ｍｍ）の表示部３が設けられている。この表示部３は、ＬＣＤディスプレイ１５およびその表示面上に設けられたタッチパネル１６を有している。このようにこの実施形態では表示部３のサイズはＡ４であるがこの発明はこの大きさに限定されるものではない。また、電子ノート１の筐体のサイズをＡ４などのシートサイズに合わせるようにしてもよい。
【００１５】
この電子ノートは、パソコンから取り込んだベース画像をＬＣＤディスプレイ１５に表示し、利用者が、タッチペン２を用いてこのベース画像上に書き込みをすることができるようにしたものである。タッチペン２による書き込みは、接触位置をｘ，ｙ座標値に変換するデジタイザであるタッチパネル１６が検出する。ベース画像は、たとえば、講義のレジメ、会議の資料、書込用フォームなどで構成され、利用者は、講義や会議中にこれを表示させて書き込みを行う。書込用フォームは、ノートの罫線や方眼も含んでいる。
【００１６】
表示部３の手前には押しボタンスイッチ群４が設けられている。押しボタンスイッチ群４は、同図（Ｂ）に示すように、ページ送りボタン３１、３２、ページ戻しボタン３３、３４、文字認識ボタン３５、図形検索ボタン３６、文字列検索ボタン３７およびレイヤ結合ボタン３８を有している。ベース画像は複数ページ分記憶可能であり、ページ送りボタン３１、３２およびページ戻しボタン３３、３４は、表示部３に表示させるベース画像のページを前後にめくるためのボタンスイッチである。ページ送りボタン３１およびページ戻しボタン３３はページを１ページずつめくるためのボタンであり、ページ送りボタン３２およびページ戻しボタン３４はページを１０ページずつめくるためのボタンである。文字認識ボタン３５、図形検索ボタン３６、文字列検索ボタン３７およびレイヤ結合ボタン３８の機能については後述する。
【００１７】
図２において、装置の動作を制御するＣＰＵ１０には、ＰＣカードインタフェース１２、メモリ１１、インタフェース２０および描画回路１３が接続されている。
【００１８】
ＰＣカードインタフェース１２にはメモリカードやモデムカードなどがセットされる。セットされるメモリカードは、パソコンにおいてベース画像が書き込まれたものである。また、モデムカードがセットされた場合には、ＣＰＵ１０はパソコンと交信してベース画像を受信する。メモリ１１は、モデムカードを介して受信したベース画像などを記憶する。ベース画像がメモリカードで供給される場合には、メモリカードをそのまま記憶手段として用いてもよい。
【００１９】
また、パラレルポート，シリアルポートを設け、パーソナルコンピュータのプリンタポートから直接ベース画像の供給を受けるようにしてもよい。この場合、パーソナルコンピュータは、プリンタドライバとしてこの電子ノートへの画像データ出力プログラムを実行する。また、ＰＣカードにＬＡＮカードを挿入し、この電子ノートをネットワークプリンタとして認識させてベース画像の供給を受けるようにしてもよい。
【００２０】
ベース画像は、ＰＤＦ（Ｐｏｒｔａｂｌｅ  Ｄｏｃｕｍｅｎｔ  Ｆｏｒｍａｔ）ファイルとして供給される。ＰＤＦファイルは、ＰｏｓｔＳｃｒｉｐｔ言語で記述されたファイルであり、テキストや図形が混在した画像をどのプラットホームでも表示できるようにしたものである。ＰＤＦファイルにおいては、図形はベクトル情報で記述され、テキストはコード情報で記述されている。
【００２１】
メモリ１１は、ＲＡＭおよびＲＯＭで構成されており、ＲＯＭには、この装置の動作を制御するプログラムやベクトルフォントデータなどが記憶されている。また、ＲＯＭには、電源オン時にデフォルトで表示される表示画像データも記憶されている。
【００２２】
ＲＡＭには、複数ページ分のベース画像を記憶するベース画像記憶エリア１１ａが設定されるとともに、このベース画像記憶エリアに記憶される複数ページ分のベース画像の各ページ書き込まれた入力オブジェクトを記憶する入力オブジェクト記憶エリア１１ｂ、入力オブジェクトから認識された文字コードを記憶する認識文字コード記憶エリア１１ｃが設定される。また、ＲＡＭには、属性コード記憶エリア、接触フラグ、拡大フラグ、接触座標記憶エリアなども設定される。
【００２３】
インタフェース２０には、前記ボタンスイッチ群４を含む操作部１８、通信回路１９および前記タッチパネル１６が接続されている。通信回路１９は表示部３の周囲に設けられたループアンテナ１７を介してタッチペン２と交信するための回路である。この交信によって描画色や消しゴムなどタッチペン２の機能を表す属性コードを受信する。
【００２４】
描画回路１３は、ベース画像や入力オブジェクトを展開する回路であり、いわゆるグラフィックアクセラレータまたはメディアプロセッサで構成されている。描画回路１３は、ＣＰＵ１０からベース画像や入力オブジェクトのデータを受け取ったとき、ＰｏｓｔＳｃｒｉｐｔ言語で記述されているベース画像を表示解像度に合わせたラスター画像データに高速に展開してＶＲＡＭ１４のベースレイヤ１４ａに書き込むとともに、入力オブジェクトを展開して書込レイヤ１４ｂに書き込む。ＶＲＡＭ１４に書き込まれた画像データはＬＣＤディスプレイ１５に表示される。
【００２５】
ＶＲＡＭ１４は、上記のように、ベース画像を展開するためのベースレイヤ１４ａおよび利用者が手書き入力した入力オブジェクトを表示するための書込レイヤ１４ｂを備えている。ＬＣＤディスプレイ１５は高精細のカラーディスプレイであり、ＶＲＡＭ１４の各レイヤはこの解像度に合わせた記憶容量を有している。
【００２６】
装置の電源がオンされると、ＣＰＵ１０は、デフォルト画像である表紙画像データをメモリ１１から読み出してＬＣＤディスプレイ１５に表示する。利用者がページ送りボタン３１、３２やページ戻しボタン３３、３４をオンすると、その操作に対応するベース画像をメモリ１１から読み出してＬＣＤディスプレイ１５に表示する。上述したように、表示処理は、ＣＰＵ１０が、表示画像データや所定のページのベース画像をメモリ１１から読み出して描画回路１３に入力することで行われる。描画回路１３はこのＰｏｓｔＳｃｒｉｐｔデータを高速にパターン展開する。このとき同時にＣＰＵ１０から必要なベクトルフォントデータが供給される。このパターン展開された画像データは、ＶＲＡＭ１４のベースレイヤ１４ａに書き込まれ、ＬＣＤディスプレイ１５に表示される。
【００２７】
なお、ページの切り換えに即座に対応するため、ＶＲＡＭ１４を複数ページ分のフレームを有するメモリで構成してもよい。この場合、ＣＰＵ１０は、利用者のページ切り換え指示を予測して予め次に表示されるであろうページデータを現在表示中でないフレームに展開しておき、利用者から（ボタンスイッチから）そのページへ切り換える旨の指示が入力されたとき、そのページを展開しているフレームをＬＣＤディスプレイ１５に接続する。
【００２８】
利用者は、ＬＣＤディスプレイ１５に表示されたベース画像の画像を見ながら、タッチペン２を用いてこの画像に直接書き込みをすることができる。
【００２９】
図３は、タッチペン２の構成図である。タッチペン２のペン先２４は、接触位置が正確に検出されるように細くなっており、材質は、タッチパネルを傷めないように柔軟な樹脂でできている。ペン内部には制御部２５、通信回路２６などが内蔵されており、電子ノート本体の通信回路１９の要求に応じて属性コードを送信する。
【００３０】
通信回路１９は、表示部３の周囲に埋め込まれたループアンテナ１７を有しており、このループアンテナ１７を介してタッチペン２と交信する。ＣＰＵ１０は、タッチパネル１６からタッチペン２の接触検出信号が入力されたとき、通信回路１９に対して該タッチペン２との交信を指示する。通信回路１９はタッチペン２に対してその属性コードを送信するように要求する。
【００３１】
タッチペン２においては、この属性コード送信要求を通信回路２６が受信し、これを制御部２５に入力する。制御部２５は、これに応じて自己の属性コードをメモリ２５ａから読み出して通信回路２６に入力する。通信回路２６はこの属性コードを電子ノート本体１に送信する。複数本のタッチペン２が、電子ノート１に付属しており、それぞれ黒、赤、消しゴムなどの機能を有している。この色や消しゴムなどの機能を表す属性コードがメモリ２５ａにそれぞれ記憶されている。なお、メモリ２５ａには属性コードとともに拡大コードも記憶されている。拡大コードについては後述する。また、属性コードは半導体メモリに記憶する以外にディップスイッチなどのスイッチでハード的に設定するようにしてもよい。この場合、このスイッチが属性コードの記憶手段となる。
【００３２】
電子ノート１は、この属性コードによりそのタッチペンの機能を認識する。すなわち、タッチペンの移動に対応して何色の描画処理をするかまたは消去処理をするかを決定する。タッチペン２がタッチパネル１６上を接触しながら移動すると、その軌跡にそのタッチペン２の属性コードが示す色の入力オブジェクト（文字や図形）を描画するとともにメモリ１１の入力オブジェクト記憶エリア１１ｂの対応アドレスにこの入力オブジェクトのデータを書き込む。また、タッチペンの機能が消しゴムの場合には、その軌跡付近のオブジェクトを消去するとともに、メモリ１１の入力オブジェクト記憶エリア１１ｂの対応アドレスのデータをクリアする。なお、このオブジェクトの描画や消去は、上記書込レイヤ１４ｂおよびメモリ１１の入力オブジェクト記憶エリア１１ｂに対して行われ、ベースレイヤ１４ａおよびメモリ１１のベース画像記憶エリア１１ａに対しては行われない。
【００３３】
なお、このように、それぞれ単一の属性コードが記憶され、単一の機能を持つタッチペンを複数設けてもよいが、図３の点線に示すようにロータリスイッチ２８などの切換手段を設けて、１本のタッチペンで複数の属性コード（機能）を切り換え設定しながら、複数の機能で使用できるようにしてもよい。また、ペンの先を黒ペンなどの機能にし、頭を消しゴムの機能にするなど１本のタッチペンの上下に異なる機能を持たせるようにしてもよい。
【００３４】
また、タッチペン２は、押しボタンスイッチである拡大ボタン２９を備えている。この拡大ボタン２９は制御部２５に接続されている。この拡大ボタン２９がオンされているときに、電子ノート本体から属性コード送信要求が送られてきた場合、制御部２５は、メモリ２５ａから拡大コードを読み出して返信する。すなわち、利用者が拡大ボタン２９を押しながら表示部３の表示画面上の所望の場所を押すと、拡大コードが送信される。
【００３５】
電子ノート本体（ＣＰＵ１０）は、この拡大コードを受信したとき、そのときのタッチペン２の接触座標を中心としてＬＣＤディスプレイ１５への画像の表示サイズを２倍に拡大する。上述したようにＬＣＤディスプレイ１５は高精細であるが実際のノートに比べて画像が粗い。そこで、画像を２倍に拡大することにより、画像を実際のノートに近い解像度で表示することができる。この拡大された画像上に書き込みをすることにより、手書きであっても実際の紙の上にペンで書き込みをした場合のような精彩な書き込みをすることができる。
【００３６】
拡大表示時にタッチペン２から再度拡大コードが送られてきたとき、ＣＰＵ１０は表示を元のサイズに戻す。すなわち、拡大表示中に、利用者が拡大ボタン２９を押しながら表示部３の表示画面上の任意の場所を押すと表示が元のサイズに戻される。
【００３７】
なお、タッチパネル１６は、ＬＣＤディスプレイ１５の表示を遮らない透明のものであってタッチペンの接触位置をデジタイズできるものであればどのようなものでもよいが、一般的には、一様な高抵抗導電シートで構成された２枚の透明電極を対向させ、タッチペン２の接触位置のｘ，ｙ座標をＸ電圧，Ｙ電圧として出力する周知のものが用いられる。タッチパネル１６が出力したＸ電圧，Ｙ電圧はインタフェース２０によってデジタルデータに変換されＣＰＵ１０に入力される。
【００３８】
タッチペン２がタッチパネル１６に接触しながら移動すると、ＣＰＵ１０は、入力オブジェクト記憶エリア１１ｂの現在表示中のページのタッチペン２が接触した座標に対応するアドレスに所定の入力オブジェクトのデータを書き込むとともに、タッチペン２が接触した座標に所定の描画処理（消去処理を含む）を行うように描画回路１３に指示する。描画回路１３は描画処理を実行し、この処理結果である画像データを書込レイヤ１４ｂのタッチペンが接触した座標に対応するアドレスに書き込む。
【００３９】
利用者がページ送りボタン３１、３２やページ戻しボタン３３、３４を操作して別のページを指定したとき、メモリ１１の内容はそのまま保存されるが、ＶＲＡＭ１４の内容が指定されたページの内容に書き換えられる。すなわち、描画回路１３が、ＶＲＡＭ１４のベースレイヤ１４ａにそのページのベース画像を描画するとともに、そのページに既に書き込みされている入力オブジェクトがあればその入力オブジェクトを書込レイヤ１４ｂに描画する。
【００４０】
以下、図４、図５のフローチャートを参照して同電子ノートの動作を説明する。
【００４１】
図４（Ａ）は、電源オン時の動作を示すフローチャートである。電源スイッチがオンされると、まず装置のイニシャライズ動作を実行する（ｓ１）。イニシャライズ動作が終了すると、メモリ１１から表紙画像データを読み出し、これをＶＲＡＭ１４に展開することによって表示画像を表示する（ｓ２）。この表示画像は、電源オン時にデフォルトで表示されるものでありメモリ１１に記憶されているが、たとえば装置の操作説明などを含むものにすればよい。こののち、利用者の操作があるまで待機する。
【００４２】
同図（Ｂ）はページ変更ボタンがオンされたときの動作を示すフローチャートである。ページ変更ボタンとは、上記のページ送りボタン３１、３２またはページ戻しボタン３３、３４である。なお、ページ送りボタン３１は１回オンされる毎に表示するページを１ページ進めるボタンであり、ページ送りボタン３２は１回オンされる毎に表示するページを１０ページ進めるボタンである。また、ページ戻しボタン３３は１回オンされる毎に表示するページを１ページ戻すボタンであり、ページ戻しボタン３４は１回オンされる毎に表示するページを１０ページ戻すボタンである。このボタンスイッチがオンされると、この操作によって指定されたページのベース画像をメモリ１１のベース画像記憶エリア１１ａから読み出して（ｓ５）、描画回路１３に入力する（ｓ６）。描画回路１３は、これを画像データに展開してＶＲＡＭ１４のベースレイヤ１４ａに書き込むことによりＬＣＤディスプレイ１５に表示する。
【００４３】
次に、利用者の操作によって指定されたページの入力オブジェクトをメモリ１１の入力オブジェクト記憶エリア１１ｂから読み出して（ｓ７）、描画回路１３に入力する（ｓ８）。描画回路１３は、これを画像データに展開してＶＲＡＭ１４の書込レイヤ１４ｂに書き込むことによりＬＣＤディスプレイ１５に表示する。
【００４４】
図５はタッチペン２の操作に対応する動作を示すフローチャートである。この動作は５０ｍｓ程度の間隔で繰り返し実行される動作動作である。まず、タッチパネル１６からの入力をチェックしてペンがタッチパネルに接触しているか否かを判断する（ｓ１１）。接触している場合にはｓ１２以下に進む。接触していない場合にはｓ２８で接触フラグのリセット処理をして処理を終了する。
【００４５】
ｓ１２では接触フラグがセットしているかを判断する。接触フラグとは、タッチペン２が以前から継続してタッチパネル１６に接触していることを示すフラグである。接触フラグがセットしていない場合には今回が最初の接触であるためｓ１３以下の動作に進む。また接触フラグがセットしている場合にはｓ２５以下の動作に進む。
【００４６】
ｓ１３では、タッチペン２に対して属性コードの送信を要求する。これに対してタッチペンが属性コードを返信してくれば（ｓ１４）、これを記憶し（ｓ１５）、接触フラグをセットする（ｓ１６）。そしてタッチパネル１６の出力電圧に基づいて接触座標を割り出してこれを記憶する（ｓ１７）。なお、ｓ１４で属性コードの返信を受信できなかった場合には、接触しているものがタッチペンではないとしてこの動作を終了する。
【００４７】
ｓ１５で記憶した属性コードが拡大コードであるかを判断する（ｓ１８）。拡大コードであれば、現在画像を２倍に拡大表示中であるかを判断し（ｓ２１）、拡大中でなければ、接触座標が画面の中心になるように画像を拡大表示する（ｓ２２）。一方、現在拡大表示中であれば通常のサイズに戻して表示する（ｓ２３）。
【００４８】
また、ｓ１５で記憶した属性コードが拡大コード以外のコード、例えば「黒ペン」のコードや「消しゴム」のコードであった場合には、前記接触座標に対して描画処理（消去処理を含む）を実行する（ｓ１９）。
【００４９】
また、ｓ１２で接触フラグがセットしていた場合には以前からタッチペン２がタッチパネルが接触していたということであるため、現在記憶している属性コードを読み出して拡大コードであるかを判断する（ｓ２５）。拡大コードであれば最初の動作で拡大／復元表示動作を実行しているため、今回は何もしないで動作を終了する。一方、記憶している属性コードが拡大コードでない場合には、現在のタッチパネル１６の入力に基づいてタッチペンの座標を検出して記憶する（ｓ２６）。そして前回までの座標と今回の座標とをスムーズに結ぶ描画処理を実行する（ｓ２７）。この描画処理は、今回の座標と前回までの座標をスムーズに結ぶような曲線をＣＰＵ１０が割り出してメモリ１１の入力オブジェクト記憶エリア１ｂに書き込むとともに、これを描画回路１３に渡す。描画回路１３はこれを展開してＶＲＡＭ１４の書込レイヤ１４ｂに書き込む。という処理である。
【００５０】
なお、この処理動作では専用タッチペンを用いるようにしているが、専用タッチペン以外のもの（たとえば棒状のもの）でも筆記できるようにしてもよい。この場合には、画面上に描画色などを選択するパレットを表示しておき、押下によってアクティブになっているパレットの属性で描画できるようにすればよい。また、パレットをプルダウンメニューなどに組み込んでおき、メニュー選択で呼び出すようにしてもよい。
【００５１】
図４（Ｃ）は文字認識ボタン３５がオンされたときの動作を示すフローチャートである。この文字認識ボタンがオンされると文字認識動作を実行する。文字認識動作とは、タッチペン２によって手書き入力された文字を認識し、キャラクタデータに変換する機能である。タッチペン２からは、文字のみならず図形も入力されるが、この文字認識機能は、入力された線画が文字であるか図形であるかを峻別する機能も含んでいる。まず、現在表示中のページの入力オブジェクトをスキャンして文字と思われるオブジェクトがあるかを検索する（ｓ３１）。文字と思われるオブジェクトが抽出されるとこのオブジェクトを認識して文字コードに変換する（ｓ３２）。この文字の認識は、特徴抽出法やテンプレートマッチング法などの一般的な手法で行えばよい。そして認識された文字（およびその文字形状から求めたフォントおよびポイント数）をメモリ１１の認識文字コード記憶エリア１１ｃに書き込む（ｓ３３）。このとき認識された文字コードとともにその表示座標を書き込む。表示座標は、変換前のオブジェクトの位置と同じ位置の座標データである。
【００５２】
このとき、ＬＣＤディスプレイ１５に、認識された文字に対応するフォントデータを展開したものを表示してもよく、認識前の線画をそのまま表示してもよい。また、入力オブジェクト記憶エリア１１ｂのこの認識された文字に対応するオブジェクトはそのまま記憶しておいてもよく、消去してもよい。消去するか否かはユーザが選択できるようにしてもよい。
【００５３】
同図（Ｄ）は図形検索ボタン３６がオンされたときの動作を示すフローチャートである。検索ボタンがオンされると図形検索動作を実行する。図形検索動作とは、任意の図形を検索する検索機能であるが、検索対象は、ベース画像内の図形データおよび手書きの入力オブジェクトを対象とする。
【００５４】
検索ボタンがオンされると、検索対象の図形の入力を受け付ける（ｓ３５）。この図形の入力はタッチペンによる手書き入力で行われ、ＣＰＵ１０は入力された図形の形状や色などの特徴を認識して検索キーとする。そして、メモリ１１内のベース画像１１ａ、入力オブジェクト記憶エリア１１ｂ内に該当する図形があるかを検索する（ｓ３６）。該当する図形が発見された場合には（ｓ３７）、発見したページを表示する（ｓ３８）。このページの表示は同図（Ｂ）の動作で行う。
【００５５】
同図（Ｅ）は文字列検索ボタン３７がオンされたときの動作を示すフローチャートである。検索ボタンがオンされると文字列検索動作を実行する。文字列検索動作とは、任意の文字列を検索する一般的な検索機能であるが、検索対象は、ベース画像内のテキストデータ、手書き文字を認識した認識文字コードを対象とする。
【００５６】
検索ボタンがオンされると、文字入力ウィンドウを表示して検索文字列の入力を受け付ける（ｓ４１）。この検索文字列の入力はタッチペンによる手書き入力で行われ、ＣＰＵ１０は入力された文字列を同図（Ｃ）と同様に認識して検索文字列とする。そして、メモリ１１内のベース画像１１ａ、認識文字データ記憶エリア１１ｃ内に該当する文字列があるかを検索する（ｓ４２）。該当する文字列が発見された場合には（ｓ４３）、発見したページを表示する（ｓ４４）。このページの表示は同図（Ｂ）の動作で行う。
【００５７】
この処理動作では事前に認識された文字を検索したが、まだ認識していない手書きオブジェクトを文字認識しながら検索するようにしてもよい。この場合には、入力オブジェクト記憶エリア１１ｂのデータを読み出して同図（Ｃ）の動作で文字認識しながら目的の文字列文字列を検索する。
【００５８】
同図（Ｆ）はレイヤ結合ボタン３８がオンされたときの動作を示すフローチャートである。レイヤ結合ボタン３８がオンされると、入力オブジェクト記憶エリア１１ｂのデータをベース画像記憶エリア１１ａに統合する機能である。入力オブジェクト記憶エリア１１ｂに記憶されている入力オブジェクトのデータはビットパターンデータであるため、まずこれを文字コードデータとベジェデータに変換する（ｓ４５）。文字コードへの変換は同図（Ｃ）の処理で行えばよい。既に認識されている認識文字コードがある場合にはこれを用いればよい。そして認識された文字コードとベジェデータをベース画像に合成する（ｓ４６）。
【００５９】
上記実施形態では、入力方法は、タッチペンによる手書き入力のみであるが、図２の点線で示すようにキーボード２１やマウス２２などの入力デバイスを接続可能にし、これら入力デバイスによってキャラクタコードやオブジェクトの入力をできるようにしてもよい。また、マウス２２をポインティングデバイスとして用いてオブジェクトの選択や範囲の選択をするようにしてもよい。また、タッチペン２を入力デバイス以外にポインティングデバイスとして用いてもよい。
【００６０】
また、メモリ１１に記憶されているベース画像、入力オブジェクト、認識文字コードをモデムやメモリカードを介してパソコンに転送することも可能である。図４（Ｆ）で説明したレイヤの結合は転送先のパソコンで行うようにしてもよい。
【００６１】
なお、上記実施形態では、複数ページからなるベース画像ファイルの例を示したが、１ページずつのファイルを複数持つようにしてもよい。この場合、各ファイルにファイル名やキーワードを書き込んでおき、このファイル名やキーワードによって読み出すファイルを管理するようにしてもよい。また、このファイル名やキーワードによってファイル間のリンクや読出順序などを決定・変更するようにしてもよい。
【００６２】
また、上記実施形態では、ベース画像記憶エリア１１ａのベース画像を表示してその上の書き込みを入力オブジェクト記憶エリア１１ｂに記憶するようにしているが、１ページ分のベース画像記憶エリア１１ａ（ベース画像）に対して複数の入力オブジェクト記憶エリア１１ｂを対応させるようにしてもよい。たとえば、ベース画像がノートの罫線や方眼の場合には、これが有効である。
【００６３】
【発明の効果】
以上のようにこの発明によれば、紙製の文具であるノートと殆ど同じ使用感で書き込みをすることができるとともに、この書き込みによる入力オブジェクトから文字を抽出して認識することにより、情報の再利用を容易にした。
【図面の簡単な説明】
【図１】この発明の実施形態である電子ノートの外観図
【図２】同電子ノートのブロック図
【図３】同電子ノートに付属するタッチペンの構成図
【図４】同電子ノートの動作を示すフローチャート
【図５】同電子ノートの動作を示すフローチャート
【符号の説明】
１…電子ノート（本体）、２…タッチペン、３…表示部、４…押しボタンスイッチ群
１０…ＣＰＵ、１１…メモリ、１１ａ…ベース画像記憶エリア、１１ｂ…入力オブジェクト記憶エリア、１１ｃ…認識文字コード記憶エリア、１２…ＰＣカードインタフェース、１３…描画回路、１４…ＶＲＡＭ、１４ａ…ベースレイヤ、１４ｂ…書込レイヤ、１５…ＬＣＤ（カラー）ディスプレイ、１６…タッチパネル、１７…（ループ）アンテナ、１８…操作部、２０…インタフェース、
２４…ペン先、２５…制御部、２５ａ…メモリ、２６…通信回路、２８…ロータリスイッチ、２９…拡大ボタン
【図１】
0004066566.tif 000002
【図２】
0004066566.tif 000003
【図３】
0004066566.tif 000004
【図４】
0004066566.tif 000005
【図５】
0004066566.tif 000006